(57)【要約】【課題】クロストークによる影響を低減し、表示品質の更なる向上を可能とした電気光学装置を提供する。【解決手段】電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、所定の画素にデータ信号が出力される選択期間１Ｈ内で、最もオフ電圧となる期間が長い階調のオン電圧となる期間を、最もオン電圧となる期間が長い階調のオフ電圧となる期間よりも長くする。【選択図】  図３
2007101599.tif 000002
【特許請求の範囲】
【請求項１】
複数の走査線と、前記複数の走査線に交差する複数のデータ線と、前記走査線と前記データ線との各交差位置に対応して設けられた複数の画素とを有する電気光学パネルと、前記複数の走査線に対して、選択信号を選択期間に与え、非選択信号を非選択期間に与えて、順次走査する走査線駆動回路と、前記走査線駆動回路による走査に同期しながら、前記複数のデータ線に所定の画素に対して所定の階調でパルス幅変調されたデータ信号を出力する信号線駆動回路とを備え、階調表示を行う電気光学装置であって、
前記所定の画素に前記データ信号が出力される選択期間内で、最もオフ電圧となる期間が長い階調のオン電圧となる期間を、最もオン電圧となる期間が長い階調のオフ電圧となる期間よりも長くすることを特徴とする電気光学装置。
【請求項２】
前記最もオフ電圧となる期間が長い階調のオン電圧となる期間をＴ0とし、前記最もオン電圧となる期間が長い階調のオフ電圧となる期間をＴNとしたときに、Ｔ0／ＴNが３〜２０となることを特徴とする請求項１に記載の電気光学装置。
【請求項３】
所定の選択期間内においては、前記データ信号をオン電圧とする期間をオフ電圧とする期間の前に設定し、前記所定の選択期間の次の選択期間内おいては、前記データ信号をオン電圧とする期間をオフ電圧とする期間の後に設定することを特徴とする請求項１又は２に記載の電気光学装置。
【請求項４】
前記走査信号及び前記データ信号の電圧極性を、同時に１フレーム内で複数回反転させたライン反転駆動方式を用いることを特徴とする請求項１〜３の何れか一項に記載の電気光学装置。
【請求項５】
複数の走査線と、前記複数の走査線に交差する複数のデータ線と、前記走査線と前記データ線との各交差位置に対応して設けられた複数の画素とを有する電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、
前記所定の画素に前記データ信号が出力される選択期間内で、最もオフ電圧となる期間が長い階調のオン電圧となる期間を、最もオン電圧となる期間が長い階調のオフ電圧となる期間よりも長くすることを特徴とする電気光学装置の駆動方法。
【請求項６】
前記最もオフ電圧となる期間が長い階調のオン電圧となる期間をＴ0とし、前記最もオン電圧となる期間が長い階調のオフ電圧となる期間をＴNとしたときに、Ｔ0／ＴNを３〜２０とすることを特徴とする請求項５に記載の電気光学装置の駆動方法。
【請求項７】
所定の選択期間内においては、前記データ信号をオン電圧とする期間をオフ電圧とする期間の前に設定し、前記所定の選択期間の次の選択期間内おいては、前記データ信号をオン電圧とする期間をオフ電圧とする期間の後に設定することを特徴とする請求項５又は６に記載の電気光学装置の製造方法。
【請求項８】
前記走査信号及び前記データ信号の電圧極性を、同時に１フレーム内で複数回反転させたライン反転駆動方式を用いることを特徴とする請求項５〜７の何れか一項に記載の電気光学装置の駆動方法。
【請求項９】
請求項１〜４の何れか一項に記載の電気光学装置又は請求項５〜８の何れか一項に記載の駆動方法により駆動される電気光学装置を備えたことを特徴とする電子機器。
【発明の詳細な説明】
【技術分野】
【０００１】
本発明は、電気光学装置、電気光学装置の駆動方法、電子機器に関する。
【背景技術】
【０００２】
例えば、電気光学装置の一種である液晶装置は、電極構成や駆動方式などに応じて種々のタイプに分類することができる。例えば、液晶装置の駆動方式としては、トランジスタやダイオードなどのスイッチング素子を用いたアクティブマトリックス駆動方式と、このようなスイッチング素子を用いないパッシブマトリックス駆動方式とに大別することができる。このうち、パッシブマトリックス駆動方式は、スイッチング素子を用いないため、低消費電力化に適しており、製造が容易で低コストであるといった利点を有している（例えば、特許文献１〜３を参照。）。
【特許文献１】特開２００３−２３３３５９号公報
【特許文献２】特開２００３−２３３３６０号公報
【特許文献３】特開２００３−１７３１７０号公報
【発明の開示】
【発明が解決しようとする課題】
【０００３】
ところで、上述したパッシブマトリックス駆動方式を採用した液晶装置では、例えば図７に模式的示すように、枠状の白表示の中に画像Ｓを黒表示したときに、この黒表示と白表示との間でクロストークが発生して、黒表示のライン上にある白表示Ａと、これに隣接した白表示Ｂとの間で輝度差が生じることがあった。
【０００４】
ここで、図８（ａ）に示すように、黒表示を行うデータ線（以降、セグメントラインとも呼ぶ。）Ａの波形をＳｅｇＡとし、この黒表示に隣接して白表示を行うセグメントラインＢの波形をＳｅｇＢとすると、パルス幅変調による階調表示を行った場合、ＳｅｇＡには０階調の波形がかかり、ＳｅｇＢにはＮ階調の波形がかかることになる。
【０００５】
しかしながら、実際のコモン波形Ｃｏｍには、セグメントラインにかかる電圧の変化に引っ張られて、図８（ｂ）に示すようなノイズが発生する。このとき、図中の囲み部分Ｙに示すように、黒表示を行うセグメントＡと白表示を行うセグメントＢとの間で発生するノイズの大きさがそれぞれ異なっているために、上述したクロストークによる輝度差が生じることがあった。
【０００６】
本発明は、このような従来の事情に鑑みて提案されたものであり、クロストークによる影響を低減し、表示品質の更なる向上を可能とした電気光学装置、及びその駆動方法、並びにそのような電気光学装置を備えた電子機器を提供することを目的とする。
【課題を解決するための手段】
【０００７】
この目的を達成するために、本発明に係る電気光学装置は、複数の走査線と、複数の走査線に交差する複数のデータ線と、走査線とデータ線との各交差位置に対応して設けられた複数の画素とを有する電気光学パネルと、複数の走査線に対して、選択信号を選択期間に与え、非選択信号を非選択期間に与えて、順次走査する走査線駆動回路と、走査線駆動回路による走査に同期しながら、複数のデータ線に所定の画素に対して所定の階調でパルス幅変調されたデータ信号を出力する信号線駆動回路とを備え、階調表示を行う電気光学装置であって、所定の画素にデータ信号が出力される選択期間内で、最もオフ電圧となる期間が長い階調のオン電圧となる期間を、最もオン電圧となる期間が長い階調のオフ電圧となる期間よりも長くすることを特徴とする。
この構成によれば、最もオフ電圧となる期間が長い階調で発生する走査線（以降コモンとも呼ぶ。）ノイズを、最もオン電圧となる期間が長い階調で発生するコモンノイズと同じ程度にできるため、クロストークを低減することができる。
【０００８】
また、本発明に係る電気光学装置は、最もオフ電圧となる期間が長い階調のオン電圧となる期間をＴ0とし、最もオン電圧となる期間が長い階調のオフ電圧となる期間をＴNとしたときに、Ｔ0／ＴNが３〜２０となることが好ましい。
この場合、クロストークの低減を図りつつ、コントラストの低下を抑えることができる。
【０００９】
また、本発明に係る電気光学装置は、所定の選択期間内においては、データ信号をオン電圧とする期間をオフ電圧とする期間の前に設定し、所定の選択期間の次の選択期間内おいては、データ信号をオン電圧とする期間をオフ電圧とする期間の後に設定する、いわゆる右寄せ左寄せパルス幅変調駆動を用いた場合に、クロストークを効果的に低減することができる。
【００１０】
また、本発明に係る電気光学装置は、走査信号及びデータ信号の電圧極性を、同時に１フレーム内で複数回反転させたライン反転駆動方式を用いた場合に、クロストークを効果的に低減することができる。
【００１１】
一方、本発明に係る電気光学装置の駆動方法は、複数の走査線と、複数の走査線に交差する複数のデータ線と、走査線とデータ線との各交差位置に対応して設けられた複数の画素とを有する電気光学パネルの複数の走査線に対して、選択信号を選択期間に与え、非選択信号を非選択期間に与えて、順次走査し、この走査に同期しながら、複数のデータ線に所定の画素に対して所定の階調でパルス幅変調されたデータ信号を出力し、階調表示を行う電気光学装置の駆動方法であって、所定の画素にデータ信号が出力される選択期間内で、最もオフ電圧となる期間が長い階調のオン電圧となる期間を、最もオン電圧となる期間が長い階調のオフ電圧となる期間よりも長くすることを特徴とする。
この駆動方法によれば、最もオフ電圧となる期間が長い階調で発生するコモンノイズを、最もオン電圧となる期間が長い階調で発生するコモンノイズと同じ程度にできるため、クロストークを低減することができる。
【００１２】
また、本発明に係る電気光学装置の駆動方法は、最もオフ電圧となる期間が長い階調のオン電圧となる期間をＴ0とし、最もオン電圧となる期間が長い階調のオフ電圧となる期間をＴNとしたときに、Ｔ0／ＴNを３〜２０とすることが好ましい。
この場合、クロストークの低減を図りつつ、コントラストの低下を抑えることができる。
【００１３】
また、本発明に係る電気光学装置の駆動方法は、所定の選択期間内においては、データ信号をオン電圧とする期間をオフ電圧とする期間の前に設定し、所定の選択期間の次の選択期間内おいては、データ信号をオン電圧とする期間をオフ電圧とする期間の後に設定する、いわゆる右寄せ左寄せパルス幅変調駆動を用いた場合に、クロストークを効果的に低減することができる。
【００１４】
また、本発明に係る電気光学装置の駆動方法は、走査信号及びデータ信号の電圧極性を、同時に１フレーム内で複数回反転させたライン反転駆動方式を用いた場合に、クロストークを効果的に低減することができる。
【００１５】
一方、本発明に係る電子機器は、上述した何れかの電気光学装置又は駆動方法により駆動される電気光学装置を備えたことを特徴とする。
この構成によれば、表示品質に優れた電子機器を提供することができる。
【発明を実施するための最良の形態】
【００１６】
以下、本発明の実施の形態について、本発明を電気光学装置の一例である液晶装置に適用した場合を例に挙げて説明する。なお、以降の説明では図面を用いて各種の構造を例示するが、これらの図面に示される構造は特徴的な部分を分かり易く示すために実際の構造に対して寸法を異ならせて示す場合がある。
【００１７】
（電気光学装置）
先ず、図１に示す本実施形態に係る液晶装置１００の構成について説明する。
図１は、本実施形態に係る液晶装置１００の構成を示すブロック図である。
この液晶装置１００は、図１に示すように、液晶表示パネル１０１と、コントローラ１０２と、走査線駆動回路１０３と、データ線駆動回路１０４と、電源回路１０５と、階調信号発生回路１０６とを備えて概略構成されている。
【００１８】
液晶表示パネル１０１は、パッシブマトリックス駆動方式を採用した液晶パネル（電気光学パネル）であり、それぞれが行方向（Ｘ方向）に延在する複数の走査線２０１と、それぞれが列方向（Ｙ方向）に延在する複数のデータ線２０２と、これら走査線２０１とデータ線２０２との各交差位置に対応して設けられた複数の画素２０３とを有している。具体的に、液晶表示１０１パネルは、一対の基板間に液晶（電気光学物質）を挟持してなるものであり、パッシブマトリックス駆動方式の場合、一方の基板の内面側に設けられて、各走査線２０１と電気的に接続された帯状の走査電極と、他方の基板の内面側に設けられて、各データ線２０２と電気的に接続された帯状のデータ電極とが互いに交差する位置において各画素２０３が構成されている。
【００１９】
コントローラ１０２は、走査線駆動回路１０３、データ線駆動回路１０４及び電源回路１０５及び階調信号発生回路１０６と接続されており、メモリに格納されたプログラム又は外部からの命令に従って、これら走査線駆動回路１０３、データ線駆動回路１０４及び電源回路１０５及び階調信号発生回路１０６の制御を行う。
【００２０】
すなわち、コントローラ１０２は、これら走査線駆動回路１０３、データ線駆動回路１０４及び電源回路１０５及び階調信号発生回路１０６に対して制御信号を供給する。
具体的に、走査線駆動回路１０３に対しては、１垂直走査期間（１Ｆ）を規定するスタートパルス信号ＤＹと、１水平走査期間、すなわち１本の走査線２０１を選択する１選択期間（１Ｈ）を規定するクロック信号ＣＬＹとを供給する。
データ線駆動回路１０４に対しては、データ書込用のドットクロック信号であるクロック信号ＣＬＸと、表示データＤＴと、書き込まれたデータを１選択期間保持するラッチパルスＬＰとを供給する。
階調信号発生回路１０６に対しては、ラッチパルス信号ＬＰと、階調基準クロックＣＬＧを供給する。
【００２１】
走査線駆動回路１０３は、コントローラ１０２及び液晶表示パネル１０１の各走査線２０１と接続されている。この走査線駆動回路１０３は、コントローラ１０２による制御に基づいて、走査線２０１に走査信号を出力することによって、１選択区間（１Ｈ）毎に、走査線２０１を順番に選択していく。このような走査により、１フレーム期間（１Ｆ）において、所定の走査方向に（一般的には最上から最下に向かって）、データの書き込み対象となる画素行が順次に選択されていく。
【００２２】
データ線駆動回路１０４は、コントローラ１０２、階調信号発生回路１０６及び液晶表示パネル１０１の各データ線２０２と接続されている。このデータ線駆動回路１０４は、コントローラ１０２と階調信号発生回路１０６から供給されるＧＣＰ信号に基づいて、走査線駆動回路１０３によって選択された画素行に対するデータ信号の出力を行う。具体的には、今回の１Ｈでデータを書き込むべき画素行に対して、表示データ及びＧＣＰ信号に基づく階調パルスの出力と、次の１Ｈでデータを書き込むべき画素行に関するデータの点順次的なラッチとが並行して行われる。
【００２３】
電源回路１０５は、コントローラ１０２、走査線駆動回路１０３及びデータ線駆動回路１０４と接続されている。電源回路１０５は、コントローラ１０２による制御に基づいて、走査線２０１の走査に必要な電圧を生成し、これを走査線駆動回路１０３に供給すると共に、データ線２０２の駆動に必要な電圧を生成し、これをデータ線駆動回路１０４に供給する。
【００２４】
階調信号発生回路１０６は、例えば図２に示すように、階調データ記憶装置３０１と、カウンタ３０２と、コンパレータ３０３と、制御回路３０４とを備えて構成されている。このうち、階調データ記憶装置３０１は、コントローラ１０２または外部から各階調に応じたオン電圧のパルス幅を規定しているデータが書き込まれる。また、制御回路３０４から供給されるアドレスにより、所定の階調データをコンパレータ３０３に出力する。カウンタ３０２は、クロック信号ＣＬＧの立ち上がり又は立ち下がり回数をカウントし、そのカウント値をコンパレータ３０３に出力する。また、カウンタ３０２は、ラッチパルス信号ＬＰをリセット信号として初期化される。コンパレータ３０３は、カウンタ３０２からのカウント値と、階調データ記憶装置３０１からの階調データとを比較し、一致した場合はパルスを制御回路３０４に出力する。制御回路３０４は、パルスをデータ線駆動回路１０４に出力するとともに階調データ記憶装置のアドレスを＋１とする。また、制御回路３０４は、ラッチパルス信号ＬＰをリセット信号として初期化される。
このように１選択期間に階調数に応じたパルスをＧＣＰ信号としてデータ線駆動回路１０４に出力する。ＧＣＰ信号のパルスの立ち上がりまたは立ち下りタイミングは、各階調に応じたオン電圧のパルス幅を規定している。
【００２５】
（電気光学装置の駆動方法）
次に、本実施形態に係る液晶装置１００の駆動方法について説明する。
本実施形態では、所定の選択期間（１Ｈ）内においては、データ信号をオン電圧とする期間をオフ電圧とする期間の前に設定し、所定の選択期間（１Ｈ）の次の選択期間（１Ｈ）内おいては、データ信号をオン電圧とする期間をオフ電圧とする期間の後に設定する、いわゆる右寄せ左寄せパルス幅変調駆動を用いて、ノーマリーブラックモードによる階調表示を行う場合を例に挙げて説明する。
なお、本発明は、これに限定されるものではなく、右寄せパルス幅変調駆動や、左寄せパルス幅変調駆動を用いる場合にも適用可能である。また、本発明は、ノーマリーホワイトモードによる階調表示を行う場合にも適用可能である。
【００２６】
図３は、データ線駆動回路１０４によって右寄せ左寄せパルス幅変調駆動されたデータ信号の波形図であり、（ａ）は、本発明の波形図を示し、（ｂ）は、従来の波形図を示す。
本実施形態に係る液晶装置１００の駆動方法は、図３（ａ）に示すように、選択された画素２０３にデータ信号が出力される１選択期間（１Ｈ）内において、所定の階調数でパルス幅変調された階調０〜Ｎのうち、最もオフ電圧となる期間が長い階調（０階調）のオン電圧となる期間を、最もオン電圧となる期間が長い階調（Ｎ階調）のオフ電圧となる期間よりも長くすることを特徴としている。
【００２７】
この場合、図４に示すように、最もオフ電圧となる期間が長い階調（Ｎ階調）のオン電圧となる期間を、本来の階調による期間よりも長くすることで、図４中の囲み部分Ｘに示すように、最もオフ電圧となる期間が長い階調（０階調）で発生するコモンノイズを、最もオン電圧となる期間が長い階調（Ｎ階調）で発生するコモンノイズと同じ程度にすることができる。これにより、コモン波形のノイズが極性に対して対称となり、互いに打ち消し合うため、０階調とＮ階調とが同じ実効電圧となり、クロストークが低減されることになる。
【００２８】
ところで、本発明では、最もオフ電圧となる期間が長い階調（０階調）のオン電圧となる期間をＴ0とし、最もオン電圧となる期間が長い階調（Ｎ階調）のオフ電圧となる期間をＴNとしたときに、Ｔ0／ＴNを３〜２０とすることが好ましい。
ここで、上述した図７に示す枠状の白表示の中に画像Ｓを黒表示したときに、Ｔ0／ＴNの値によってクロストークの程度がどのように変化するかを測定した測定結果を表１に示す。
具体的に、本測定では、１選択期間（１Ｈ）内において、６４階調でパルス幅変調された階調０〜６３のうち、６３階調目のオフ電圧となる期間をＨ／１２８とし、０階調目のオン電圧となる期間を、Ｈ／１２８、３Ｈ／１２８、６Ｈ／１２８、１０Ｈ／１２８、１３Ｈ／１２８、２０Ｈ／１２８、２３Ｈ／１２８と変化させた際の各クロストーク値を測定した。なお、クロストーク値とは、図７に示すＡの部分の輝度ＴＡとＢの部分の輝度ＴＢとの輝度差（ＴＡ−ＴＢ）／ＴＢで表される値である。
【００２９】
【表１】
2007101599.tif 000003
【００３０】
表１に示す測定結果から、０階調目のオン電圧となる期間を長くしていくと、クロストーク値は良くなるものの、コントラストの低下が生じることがわかる。コントラストは、従来の駆動方法を用いた場合（従来例１）よりも２５％以上低下することは好ましくない。したがって、０階調目のオン電圧となる期間を３／１２８Ｈ〜２０／１２８Ｈの範囲とすれば、クロストークの低減を図りつつ、コントラストの低下を抑えることができる。
【００３１】
前記液晶装置１００は、上述した図１に示す構成に限定されるものではなく、例えば図５に示すように、走査信号及びデータ信号の電圧極性を、同時に１フレーム内で複数回反転させたライン反転駆動方式を用いた構成とすることもできる。
【００３２】
具体的に、このライン反転駆動方式を採用した場合には、上述した図１に示す構成に加えて極性切替回路１０７を備えた構成とする。この極性切替回路１０７は、コントローラ１０２、走査線駆動回路１０３及びデータ線駆動回路１０４と接続されており、コントローラ１０２の制御に基づいて、走査信号及びデータ信号の電圧極性を、同時に１フレーム内で複数回反転させるための極性反転信号ＰＯＬを走査線駆動回路１０３及びデータ線駆動回路１０４に供給する。
【００３３】
本発明では、このようなライン反転駆動方式を用いた構成でも、図３（ａ）に示すように、最もオフ電圧となる期間が長い階調（０階調）のオン電圧となる期間を、最もオン電圧となる期間が長い階調（Ｎ階調）のオフ電圧となる期間よりも長くすることで、クロストークの低減を図ることができる。
【００３４】
また、前記液晶装置１００は、高コントラスト化や低電圧駆動化などを図るため、複数本の走査線を同時に選択するＭＬＳ(Multi Line Selection)駆動方式を用いることも可能である。また、本発明は、このようなＭＬＳ駆動方式や通常駆動方式においても、クロストークの低減を図ることができる。
【００３５】
（電子機器）
次に、本実施形態に係る電子機器の一具体例として、図６に示す携帯電話機１０００について説明する。
図６は、携帯電話機１０００の外観を示す斜視図である。この携帯電話機１０００の表示部１００１には、上記液晶装置１００が採用されている。したがって、この携帯電話機１０００では、上述したクロストークを低減することによって、表示品質に優れた画像表示を得ることが可能である。
【００３６】
なお、本発明の液晶表示装置（電気光学装置）は、上記携帯電話機に限らず、例えば、電子ブックや、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルなどの電子機器の表示部（画像表示手段）として好適に用いることができる。
【００３７】
なお、本発明において、電気光学物質、電気光学パネル、電気光学装置とは、電界により物質の屈折率が変化して光の透過率を変化させる電気光学効果を有するものの他、電気エネルギーを光学エネルギーに変換するもの等も含んで総称している。
【００３８】
以上、図面を参照しながら本発明の実施の形態について説明したが、本発明はこれらの例に限定されないことは言うまでもない。すなわち、上述した例において示した各構成部材の諸形状や組み合わせ等は一例であって、本発明の主旨から逸脱しない範囲において設計要求等に基づき種々の変更が可能である。
【図面の簡単な説明】
【００３９】
【図１】本実施形態に係る液晶装置の全体構成を示すブロック図である。
【図２】階調信号発生回路の構成を示すブロック図である。
【図３】右寄せ左寄せパルス幅変調されたデータ信号の波形図であり、（ａ）は、本発明の波形図であり、（ｂ）は、従来の波形図である。
【図４】本発明のクロストークの低減を説明するための波形図である。
【図５】ライン反転駆動方式を用いた場合の液晶装置の全体構成を示すブロック図である。
【図６】本実施形態に係る電子機器の一例を示す斜視図である。
【図７】クロストークを説明するための模式図である。
【図８】従来のクロストークの発生を説明するための波形図である。
【符号の説明】
【００４０】
１００…液晶装置（電気光学装置）、１０１…液晶表示パネル（電気光学パネル）、１０３…走査線駆動回路、１０４…データ線駆動回路、２０１…走査線、２０２…データ線、２０３…画素、１０００…携帯電話機（電子機器）
【図１】
2007101599.tif 000004
【図２】
2007101599.tif 000005
【図３】
2007101599.tif 000006
【図４】
2007101599.tif 000007
【図５】
2007101599.tif 000008
【図６】
2007101599.tif 000009
【図７】
2007101599.tif 000010
【図８】
2007101599.tif 000011